(57)【要約】【課題】本発明は、顎係止帯によって顔面を被覆した前片を装着者の顎部に容易に係止させることができるフェイスカバーの提供を目的とする。【解決手段】シート状の前片２１とシート状の後片２２とにより形成されたフェイスカバー本体２と、１つの帯状の顎係止帯３とを備えている。顎係止帯３の左端部３ａは前片２１の左端部２１ａに連結され、顎係止帯３の右端部３ｂは前片２１の右端部２１ｂに連結されることにより、顎係止帯３の中間部を、本体装備状態で前片２１と共に装着者の顎部に係止できるように構成されている。【選択図】図１
2013231259.tif 000002
【特許請求の範囲】
【請求項１】
シート状の前片を有するフェイスカバー本体を備え、前記フェイスカバー本体が装着者に装備された本体装備状態で前記前片が前記装着者の顔面を被覆するフェイスカバーであって、
顎係止帯を備え、
前記顎係止帯は、その両端部がそれぞれ、フェイスカバー本体に連結されることにより、その中間部を、前記装着状態で前記前片と共に前記装着者の顎部に係止可能に構成されていることを特徴とするフェイスカバー。
【請求項２】
前記顎係止帯の両端部及び中間部は、前記本体装備状態で、前記装着者の顎部の下端に対応する位置よりも上方側に配置されていることを特徴とする請求項１記載のフェイスカバー。
【請求項３】
前記顎係止帯の両端部は、それぞれ、前記フェイスカバー本体の左右の両端部のそれぞれに連結されていることを特徴とする請求項１又は２記載のフェイスカバー。
【請求項４】
前記フェイスカバー本体は、前記前片の後面側に配設されたシート状の後片を有し、
前記後片の左右の両端部は、前記前片の左右の両端部のそれぞれと連結され、
前記顎係止帯の両端部は、それぞれ、前記後片と前片との端部同士の連結部に連結されていること特徴とする請求項１〜３の何れか一項に記載のフェイスカバー。
【請求項５】
前記顎係止帯の両端部は、それぞれ、前記前片の左右の両端部のそれぞれに連結されていること特徴とする請求項１〜４の何れか一項に記載のフェイスカバー。
【発明の詳細な説明】
【技術分野】
【０００１】
本発明は、例えば衣服を購入する際の試着時に、試着者の顔面の化粧等が試着した衣服に付着するのを防ぐようにしたフェイスカバーに関するものである。
【背景技術】
【０００２】
例えば、衣料品店において衣服を購入する際には、購入しようとする衣服を試着する場合も多い。そのような試着時に、例えば試着者が化粧をした女性の場合、衣服が顔面に触れると、衣服に化粧が付着してしまう場合がある。このようにして試着した衣服に化粧が付着してしまうと、そのままの状態ではその衣服を商品として販売し難くなってしまう。
【０００３】
そこで、例えば衣服を購入する際の試着時に、試着者の顔面の化粧等が試着した衣服に付着するのを防ぐようにしたフェイスカバーが従来から知られている。例えば特許文献１に、このようなフェイスカバーが提案されている。
【０００４】
この特許文献１に提案されたフェイスカバーは、通気性及び透視性を有したシート材で試着者（装着者）の頭部を収納できるように下方に開口部を設けた折畳可能な袋体を形成し、装着状態で装着者の顔を覆う袋体の前片の上部に、装着者の目の部位に略合致する一定範囲に多数の小孔からなる可視部を設ける。また、前片の下端を、袋体の後片の下端より長く形成し、前片の下端から上方に切溝を形成して左右に分断した垂片部を設けるとともに、各垂片部の中央部に切込溝を設けたものである。そして、前片で装着者の顔を覆った状態で、一方の垂片部の切込溝に、他方の垂片部を差込んで締付ける操作を行うことによりフェイスカバーの前片の下部が装着者の顎部に係止され、これにより、試着した衣服を脱ぐ際に、前片が顎部からめくれ上がり難いものにしている。
【先行技術文献】
【特許文献】
【０００５】
【特許文献１】実用新案登録第３１０４５４０号公報
【発明の概要】
【発明が解決しようとする課題】
【０００６】
しかしながら、上記特許文献１に開示されたフェイスカバーにおいては、フェイスカバーの前片を装着者の顎部に係止させるために、前片で装着者の顔を覆った状態で、一方の垂片部の切込溝に他方の垂片部を差込んで締付けるとう操作が必要であり、フェイスカバーの前片を装着者の顎部に係止させるための操作が面倒であるという問題点がある。
【０００７】
本発明は、顎係止帯によって顔面を被覆した前片を装着者の顎部に容易に係止させることができるフェイスカバーの提供を目的とする。
【課題を解決するための手段】
【０００８】
上記課題を解決するため、本発明は、シート状の前片を有するフェイスカバー本体を備え、前記フェイスカバー本体が装着者に装備された本体装備状態で前記前片が前記装着者の顔面を被覆するフェイスカバーであって、顎係止帯を備え、前記顎係止帯は、その両端部がそれぞれ、フェイスカバー本体に連結されることにより、その中間部を、前記装着状態で前記前片と共に前記装着者の顎部に係止可能に構成されていることを特徴とするフェイスカバーを提供する。
【０００９】
この構成によれば、顎係止帯の中間部を装着者の顎部に係止させる操作で、顔面を被覆した前片を同時に装着者の顎部に係止させることができる。従って、前片を装着者の顎部に係止させる操作を容易なものにできる。又、装着したフェイスカバーを装着者から外す場合も、例えば装着者の顎部に係止した顎係止帯の中間部を装着者の顎部の下方側から上方側に回すようにして顎係止帯の中間部を顎部から外せばよく、これにより、装着者の顎部に係止した前片も係止解除でき、装着したフェイスカバーを装着者から容易に外すことができる。よって、フェイスカバーの装着者への着脱操作を容易に行うことができる。
【００１０】
この発明は、前記フェイスカバーにおいて、前記顎係止帯の両端部及び中間部は、前記本体装備状態で、前記装着者の顎部の下端に対応する位置より上方側に配置されているのが好ましい。
【００１１】
この構成によれば、本体装備状態から、顎係止帯の中間部を下方側の顎部の下に回すことにより、顎係止帯の中間部を装着者の顎部に、前片と共に係止でき、係止操作を容易なものにできる。又、顎係止帯の両端部及び中間部は、本体装備状態で装着者の顎部の下端に対応する位置より上方側に配置されているため、顎係止帯の中間部を、装着者の顎部に、確実に係止できる。
【００１２】
この発明は、前述のいずれかのフェイスカバーにおいて、前記顎係止帯の両端部は、それぞれ、前記フェイスカバー本体の左右の両端部のそれぞれに連結されているのが好ましい。
【００１３】
この構成によれば、前片における下部側を顎部の輪郭の略全体に沿わせて係止させることができる。これにより、例えば試着した衣服を脱ぐ際に、前片の下部側が衣服に、より一層、引っ掛かり難いものにでき、試着した衣服を脱ぎ易いものにできるとともに、より一層確実に、めくれ上がり難いものにできる。
【００１４】
この発明は、前述のいずれかのフェイスカバーにおいて、前記フェイスカバー本体は、前記前片の後面側に配設されたシート状の後片を有し、前記後片の左右の両端部は、前記前片の左右の両端部のそれぞれと連結され、前記顎係止帯の両端部は、それぞれ、前記後片と前片との端部同士の連結部に連結されているのが好ましい。
【００１５】
この構成によれば、後片と前片との端部同士を連結する工程で同時に顎係止帯の両端部のそれぞれを連結でき、顎係止帯の両端部の連結作業を容易なものにでき、製作コストを抑えることができる。
【００１６】
この発明は、前述のいずれかのフェイスカバーにおいて、前記顎係止帯の両端部は、それぞれ、前記前片の左右の両端部のそれぞれに連結されているのが好ましい。
【００１７】
この構成によれば、顎係止帯を前片の前面側に配設した状態で連結でき、その状態で、装着者の顔面を前片で被覆すれば、顎係止帯を前片の前面側に配設した状態にできる。従って、その状態から顎係止帯の中間部を顎部の下方側に回して顎部に掛けるようにすれば顎係止帯の中間部を顎部に係止でき、顎係止帯の顎部への係止操作を容易に行うことができる。よって、顎係止帯を前片に連結した状態で、そのまま使用でき、製造工程を簡素化できる。
【発明の効果】
【００１８】
本発明に係るフェイスカバーは、顎係止帯によって顔面を被覆した前片を装着者の顎部に容易に係止させることができるものである。
【図面の簡単な説明】
【００１９】
【図１】本発明の一実施の形態のフェイスカバーの正面図である。
【図２】図１のフェイスカバーの背面図である。
【図３】図１のＩＩＩ−ＩＩＩ線断面図である。
【図４】図１のＩＶ−ＩＶ線断面図である。
【図５】フェイスカバー本体の袋状部に装着者の頭部が収納された本体装備状態の正面図である。
【図６】図５の本体装備状態の側面図である。
【図７】図５の状態から、顎係止帯が装着者の顎部の下方側に回されて顎部に係止された装着状態の正面図である。
【図８】図７の装着状態の側面図である。
【図９】（ａ）は、他の実施形態のフェイスカバーの顎係止帯の両端部を連結した状態の正面図、（ｂ）は、図９（ａ）のＩＸ−ＩＸ線断面図である。
【図１０】（ａ）は、図９（ａ）の状態から顎係止帯の中間部を前片側に回した状態の正面図、（ｂ）は、図１０（ａ）のＸ−Ｘ線断面図である。
【図１１】更に他の実施形態のフェイスカバーの正面図である。
【発明を実施するための形態】
【００２０】
以下、本発明を実施するための形態について、図面を参照しながら詳細に説明する。図１は、本発明の一実施の形態のフェイスカバーの正面図、図２は、図１のフェイスカバーの背面図、図３は、図１のＩＩＩ−ＩＩＩ線断面図、図４は、図１のＩＶ−ＩＶ線断面図である。
【００２１】
本発明のフェイスカバー１は、フェイスカバー本体２と、１つの帯状の顎係止帯３とを備えている。
【００２２】
フェイスカバー本体２は、シート状の前片２１と、前片２１の後面側に配設されたシート状の後片２２とを備えている。この実施形態では、前片２１は、ポリプロピレン製の通気性を有する不織布から構成されており、左右方向の長さＬ１が４００ｍｍ程度、上下方向の長さＬ２が４２０ｍｍ程度の大きさの正面視で長方形状に形成されている。尚、前片２１は、不織布から構成されるものに限らず、例えば布、紙等から構成してもよく、適宜変更して実施できる。
【００２３】
後片２２は、この実施形態では、図４に示すように前片２１の上端から後方に折り返されるようにして前片２１と一体的に形成されており、後片２２の左右方向の長さは前片２１と同寸法とされている。一方、後片２２の上下方向の長さＬ３（図１に図示）は、２２０ｍｍ程度に形成されている。
【００２４】
又、後片２２の左端部２２ａは前片２１の左端部２１ａと連結され、後片２２の右端部２２ｂは前片２１の右端部２１ｂと連結されている。この実施形態では、後片２２と前片２１との左端部２２ａ、２１ａ同士及び右端部２２ｂ、２１ｂ同士は、上下方向の全長にわたって溶着によって連結されている。尚、後片２２と前片２１との左端部２２ａ、２１ａ同士及び右端部２２ｂ、２１ｂ同士は、上下方向の一部だけが連結される形態のものでもよく、適宜変更できる。
【００２５】
また、このようにして形成された後片２２と前片２１とによって、図４に示すように下端側に開口部２３ａを有する頭部収納可能な袋状部２３が形成されており、この袋状部２３に、このフェイスカバー１を装着する装着者の頭部を開口部２３ａから収納できるようになっている。
【００２６】
顎係止帯３は、この実施形態では、前片２１と同じ素材から構成され、左右方向の長さが装着者の顔面の幅よりも広く、後述する本体装備状態で、図５に示すように、装着者の顔面の左右両側のそれぞれからはみ出すように設定されている。この実施形態では、図１に示すように左右方向の長さが前片２１と同長さで、上下方向の幅長さＬ４が５０ｍｍ〜８０ｍｍ程度に形成されている。
【００２７】
また、顎係止帯３は、フェイスカバー本体２の前片２１の上下中央よりも上方位置になるようにして、フェイスカバー本体２の前片２１の前面側に配置されている。
【００２８】
この実施形態では、顎係止帯３は、その上端とフェイスカバー本体２（前片２１）の上端との距離Ｌ５が４０ｍｍ〜８５ｍｍになる位置に、その上端とフェイスカバー本体２の上端とが略平行になるように配置されている。
【００２９】
そして、その状態で、顎係止帯３の長手方向の左右の両端部３ａ、３ｂが前片２１の左右の両端部２１ａ、２１ｂの前面に、それぞれ、連結されている。この実施形態では、上述した後片２２と前片２１との左端部２２ａ、２１ａ同士及び右端部２２ｂ、２１ｂ同士が溶着される際に、同時に、顎係止帯３の左右の両端部３ａ、３ｂと前片２１の左右の両端部２１ａ、２１ｂとが溶着されることにより連結されている。
【００３０】
詳しくは、後片２２と前片２１とが重ね合わされた状態におけるその前片２１の左右の両端部２１ａ、２１ｂの前面側に、顎係止帯３の左右の両端部３ａ、３ｂがそれぞれ位置合わせされて重ね合わされる。そして、その状態で、後片２２と前片２１との左端部２２ａ、２１ａ同士及び右端部２２ｂ、２１ｂ同士が加熱溶着される際に、同時に、顎係止帯３の左右の両端部３ａ、３ｂも加熱されて前片２１の左右の両端部２１ａ、２１ｂに溶着される。
【００３１】
このように構成されたフェイスカバー１は、例えば衣服を試着する試着者（装着者）に次のように装着されて使用される。
【００３２】
まず、フェイスカバー本体２の前片２１を前側にして、フェイスカバー本体２の袋状部２３に、装着者の頭部を開口部２３ａから入れる。これにより、フェイスカバー本体２が装着者に装備された本体装備状態にできる。この本体装備状態では、図５、図６に示すように、フェイスカバー本体２の前片２１が装着者の顔面の全体を前方側から被覆した状態になっているとともに、顎係止帯３の両端部３ａ、３ｂ及び中間部が前片２１の前面側で且つ装着者の顔面の顎部の下端に対応する位置よりも上方側の位置（この実施形態では、顔面のほぼ目から額の範囲に対応する位置）に配置されている。
【００３３】
そして、その本体装備状態から、図７、及び図８に示すように装着者よって顎係止帯３の中間部が顎部の下方側に回される。これにより、顎係止帯３の中間部が、顎部に掛けられて係止されてフェイスカバー１の装着状態になる。又、その顎係止帯３が顎部の下方側へ回されるに伴い、前片２１の下部側の一部は顎部と顎係止帯３との間に介在するように配設され顎部の下方側に顎係止帯３と共に回されて顎係止帯３を介して顎部に係止される。
【００３４】
従って、顎係止帯３の中間部を顎部の下方側に回して顎部に掛ける操作だけで、前片２１と共に顎部に係止でき、係止操作を容易に行うことができる。
【００３５】
この状態では、フェイスカバー１の前片２１が装着者の顔面の全体を被覆しているため、衣服を試着する際、衣服が顔面に触れて化粧等が衣服に付着するようなことが防止される。
【００３６】
また、フェイスカバー１の前片２１が顎係止帯３によって顎部に係止されているため、試着した衣服を脱ぐ際に、フェイスカバー１の前片２１が衣服に引っ掛かってめくれ上がるようなことを防止できる。
【００３７】
また、顎係止帯３の左右の両端部３ａ、３ｂが前片２１の左右の両端部２１ａ、２１ｂに連結されているため、顎係止帯３によって前片２１を顎部の輪郭の略全体に沿わせて係止させることができ、衣服を脱ぐ際に、より一層、衣服が前片２１に引っ掛かり難いものにでき、前片２１がより一層確実に、めくれ上がるようなことを防止できる。
【００３８】
又、装着したフェイスカバーを装着者から外す（脱ぐ）場合も、装着者の顎部に係止した顎係止帯の中間部を装着者の顎部の下方側から上方側に回すようにして顎係止帯の中間部を顎部から外せばよく、これにより、装着者の顎部に係止した前片も係止解除でき、装着したフェイスカバーを装着者から容易に外すことができる。よって、フェイスカバーの装着者への着脱操作を容易に行うことができる。
【００３９】
尚、上記実施形態では、顎係止帯３の両端部３ａ、３ｂは、それぞれ、前片２１の左右の両端部２１ａ、２１ｂに連結されたが、この形態のものに限らず、適宜変更できる。
【００４０】
例えば図９に示すように顎係止帯３の両端部３ａ、３ｂを、後片２２の左右の両端部２２ａ、２２ｂの後面に連結する。そして、装着者に装着される使用前に、図１０に示すように、顎係止帯３の中間部を前片２１の前面側に回すようにするものでも良い。ただし、この場合は、顎係止帯３の両端部３ａ、３ｂを後片２２の左右の両端部２２ａ、２２ｂに連結した後、顎係止帯３の中間部を前片２１側に回す工程が必要となるので、上記実施形態のように、顎係止帯３の両端部３ａ、３ｂを前片２１の左右の両端部２１ａ、２１ｂに連結するのが好ましい。
【００４１】
又、顎係止帯３の両端部３ａ、３ｂは、前片２１の左右の両端部２１ａ、２１ｂに、あるいは、後片２２の左右の両端部２２ａ、２２ｂに連結される形態のものに限らず、例えば、図１１に示すように前片２１における左右の両端部２１ａ、２１ｂのそれぞれから所定距離だけ内側に入った位置に連結されてもよく、適宜変更できる。ただし、この場合は、前片２１の左右の両端部２１ａ、２１ｂと後片２２の左右の両端部２２ａ、２２ｂとの連結工程とは別途に、顎係止帯３の両端部３ａ、３ｂを前片２１に連結する工程が必要になる。従って、上記実施形態のように、顎係止帯３の両端部３ａ、３ｂは前片２１の左右の両端部２１ａ、２１ｂに、あるいは、後片２２の左右の両端部２２ａ、２２ｂに連結されるようにするのが好ましい。
【００４２】
又、上記実施形態では、顎係止帯３は、前片２１と同じ素材で構成されたが、顎係止帯３の材質は、前片２１と異なる素材から構成してもよい。又、顎係止帯３を、例えば布、紙等から構成でき、適宜変更して実施できる。又、顎係止帯３の両端部の連結は、溶着によるものに限らず、例えば接着剤により接着し、あるいは、縫製により縫着する等、してもよい。
【００４３】
又、顎係止帯３のフェイスカバー本体２に対する位置や上記幅長さＬ４（図１に示す）等についても、上記実施形態のものに限らず、本体装備状態で顎係止帯３を前片２１と共に装着者の顎部に係止できる形態であればよく、適宜変更できる。ただし、上記実施形態のように、顎係止帯３の幅長さＬ４を５０ｍｍ〜８０ｍｍ程度に設定して、顎係止帯３の上端とフェイスカバー本体２の上端との距離Ｌ５が４０ｍｍ〜８５ｍｍになる位置に顎係止帯３を配設すれば、顎係止帯３を顎部に係止操作し易く、しかも、確実に係止できる点で好ましい。
【００４４】
又、上記実施形態では、フェイスカバー本体２の後片２２を前片２１から折り返して形成されているが、この形態のものに限らず、適宜変更できる。例えば後片２２を前片２１と別途に形成し、それらの左右両端部同士及び上端部同士を、例えば溶着、接着、あるいは、縫着等の連結手段によって連結してもよい。
【００４５】
又、上記実施形態では、顎係止帯３は、帯状のものから構成されたが、紐状のものでもよく、適宜変更できる。
【００４６】
又、後片２２を前片２１と別途に形成する場合において、後片２２は前片２１と同じ素材のものでもよいが、異なる素材のものから構成してもよく、適宜変更して実施できる。
【符号の説明】
【００４７】
１    フェイスカバー
２    フェイスカバー本体
３    顎係止帯
２１    前片
２２    後片
２３    袋状部
２３ａ  開口部
【図１】
2013231259.tif 000003
【図２】
2013231259.tif 000004
【図３】
2013231259.tif 000005
【図４】
2013231259.tif 000006
【図５】
2013231259.tif 000007
【図６】
2013231259.tif 000008
【図７】
2013231259.tif 000009
【図８】
2013231259.tif 000010
【図９】
2013231259.tif 000011
【図１０】
2013231259.tif 000012
【図１１】
2013231259.tif 000013